(57)【特許請求の範囲】
【請求項１】
曲の初めを識別する識別子を伴う入力信号が信号ラインに入力されたとき、前記曲の初めから所定時間の間継続して入力信号レベルが所定レベル以下にあるか否かを検出するレベル検出手段と、前記レベル検出手段により前記曲の初めから所定時間の間継続して入力信号が所定レベル以下であることが検出された場合は、信号ラインの出力を禁止する禁止手段とを備え、
前記曲の初めから所定時間の間において、前記入力信号が継続して所定レベル以下であることが前記レベル検出手段により検出されなかった場合は、その曲を継続して信号ラインに出力すること、
を特徴とするミューティング装置。
【請求項２】
再生デジタル信号が再生信号ラインに入力されたとき、前記再生デジタル信号中のデータの内容から曲の初めを判断し、その曲の初めから所定時間の間継続して入力信号レベルが所定レベル以下にあるか否かを検出するレベル検出手段と、前記レベル検出手段により曲の初めから所定時間の間継続して入力信号が所定レベル以下であることが検出された場合は、再生信号ラインの出力を禁止する禁止手段とを備え、
前記曲の初めから所定時間の間において、前記入力信号が継続して所定レベル以下であることが前記レベル検出手段により検出されなかった場合は、その曲を継続して再生信号ラインに出力すること、
を特徴とするミューティング装置。
【請求項３】
ＣＤ再生デジタル音声信号が再生信号ラインに入力されたとき、前記ＣＤ再生デジタル音声信号が所定レベル以下にあるか否かを検出するインフィニティゼロ検出回路と、前記ＣＤ再生デジタル音声信号中のＱデータの内容から曲の初めを判断し、曲の初めから所定時間の間継続して前記インフィニティゼロ検出回路が入力信号レベルが所定レベル以下であることを検出した場合は制御信号を発生する制御回路と、前記制御回路の制御信号が発生されると、再生信号ラインの出力を禁止する禁止手段とを備え、
前記曲の初めが検出された後所定時間の間において、前記制御回路の制御信号が発生されなかった場合は、その曲を継続して再生信号ラインに出力すること、
を特徴とするミューティング装置。
【発明の詳細な説明】
【０００１】
【発明の属する技術分野】
本発明はミューティング装置に関する。
【０００２】
【従来の技術】
従来、ＣＤ（コンパクトディスク）等の記録媒体再生装置において、再生時Ｓ／Ｎ比の値を良くするために、ミューティング装置が使用されている。
図３は従来のミューティング装置の一例を示す回路図である。図３において、１は信号ライン、２は入力端子、３は出力端子、４はｉｎｆｉｎｉｔｙｚｅｒｏ（インフィニティゼロ）検出回路、５は切換スイッチである。
【０００３】
先ず、再生信号ライン１の入力端子２に入力された再生デジタル音声信号をｉｎｆｉｎｉｔｙｚｅｒｏ検出回路４に入力して、ｉｎｆｉｎｉｔｙｚｅｒｏ（デジタル的にレベルがゼロに近いことを表わす）であるか否かを検出し、ｉｎｆｉｎｉｔｙｚｅｒｏであれば、その検出出力（例えばハイレベル）で再生信号ライン１の入力端子２と出力端子３の間に挿入された切換スイッチ５がＧＮＤ（接地）側に切り換わるように制御し、ｉｎｆｉｎｉｔｙｚｅｒｏでなければ、その検出出力（例えばローレベル）で切換スイッチ５を再生信号ライン１側に切り換えて、出力端子３に再生デジタル音声信号を供給している。
このように、ｉｎｆｉｎｉｔｙｚｅｒｏ検出回路４は常に再生デジタル音声信号のレベルを監視し、ｉｎｆｉｎｉｔｙｚｅｒｏが検出されたらミュートをかけている。
【０００４】
【発明が解決しようとする課題】
しかし、例えばＣＤ再生信号として音楽を聴くとき場合、クラシック音楽のときや音声レベルが急に小さくなったとき、その間にｉｎｆｉｎｉｔｙｚｅｒｏ検出回路４が動作し、音声出力をミュートしてしまうことがある。それによって、音楽を聴いている時に音声出力が一瞬ＧＮＤに落ちてしまうため、再生された音声出力のノイズが急になくなって、不自然感が感じられる。
【０００５】
本発明の目的は、上記従来の問題を解決したミューティング装置を提供することにある。
【０００６】
【課題を解決するための手段】
本発明によるミューティング装置は、請求項１に記載のように、
曲の初めを識別する識別子を伴う入力信号が信号ラインに入力されたとき、前記曲の初めから所定時間の間継続して入力信号レベルが所定レベル以下にあるか否かを検出するレベル検出手段と、前記レベル検出手段により前記曲の初めから所定時間の間継続して入力信号が所定レベル以下であることが検出された場合は、信号ラインの出力を禁止する禁止手段とを備え、
前記曲の初めから所定時間の間において、前記入力信号が継続して所定レベル以下であることが前記レベル検出手段により検出されなかった場合は、その曲を継続して信号ラインに出力すること、を特徴とする。
【０００７】
本発明によるミューティング装置は、請求項２に記載のように、
再生デジタル信号が再生信号ラインに入力されたとき、前記再生デジタル信号中のデータの内容から曲の初めを判断し、その曲の初めから所定時間の間継続して入力信号レベルが所定レベル以下にあるか否かを検出するレベル検出手段と、前記レベル検出手段により曲の初めから所定時間の間継続して入力信号が所定レベル以下であることが検出された場合は、再生信号ラインの出力を禁止する禁止手段とを備え、
前記曲の初めから所定時間の間において、前記入力信号が継続して所定レベル以下であることが前記レベル検出手段により検出されなかった場合は、その曲を継続して再生信号ラインに出力すること、を特徴とする。
【０００８】
本発明によるミューティング装置は、請求項３に記載のように、
ＣＤ再生デジタル音声信号が再生信号ラインに入力されたとき、前記ＣＤ再生デジタル音声信号が所定レベル以下にあるか否かを検出するインフィニティゼロ検出回路と、前記ＣＤ再生デジタル音声信号中のＱデータの内容から曲の初めを判断し、曲の初めから所定時間の間継続して前記インフィニティゼロ検出回路が入力信号レベルが所定レベル以下であることを検出した場合は制御信号を発生する制御回路と、前記制御回路の制御信号が発生されると、再生信号ラインの出力を禁止する禁止手段とを備え、
前記曲の初めが検出された後所定時間の間において、前記制御回路の制御信号が発生されなかった場合は、その曲を継続して再生信号ラインに出力すること、を特徴とする。
【０００９】
【発明の実施の形態】
図１は本発明によるミューティング装置の一例を示す回路図である。図１において、１は信号ライン、２は入力端子、３は出力端子、４はｉｎｆｉｎｉｔｙｚｅｒｏ検出回路、５は切換スイッチ、６はマイクロコンピュータ等からなる制御回路である。図１において、図３に示した従来回路と異なる点は、入力端子に接続された制御回路６が追加されていることである。
【００１０】
入力端子２にＣＤ再生デジタル音声信号が入力されると、ｉｎｆｉｎｉｔｙｚｅｒｏ検出回路４は、図３の従来例と同様に、常に再生デジタル音声信号のレベルを監視する。
一方、制御回路６は、入力端子２から入力されたＣＤ再生デジタル音声信号中のＱデータ（Ｑコード）を読み、その内容で曲の初めかどうかを判断する。また、制御回路６は、ｉｎｆｉｎｉｔｙｚｅｒｏ検出回路４の検出出力が供給され、ｉｎｆｉｎｉｔｙｚｅｒｏを示す検出出力（例えばハイレベル）が所定時間の間（例えば数秒間）継続して発生しているか否かを内部タイマで監視する。
【００１１】
曲の初めと判断され、ｉｎｆｉｎｉｔｙｚｅｒｏを示す検出出力（ハイレベル）が曲の初めから所定時間の間（例えば数秒間）継続して発生している場合は、制御回路６は制御信号（例えばハイレベル）を発生し、切換スイッチ５がＧＮＤ側に切り換わるように制御する。
例えば、ＣＤにおいて、信号（曲）は情報単位（トラック番号）に区分されて記録されており、トラック番号はあるがデータが入っていないトラックがある場合は、そのトラックが再生されてしまいノイズのみが再生信号ライン１に乗るが、このような場合に、切換スイッチ５がＧＮＤ側に切り換わるように制御されるので、ノイズがミュートされる。
【００１２】
また、曲の初めと判断され、ｉｎｆｉｎｉｔｙｚｅｒｏを示す検出出力（ハイレベル）が曲の初めから所定時間の間（例えば数秒間）継続して発生していない場合は、再生曲のデータが存在していることになり、制御回路６は制御信号（例えばローレベル）を発生し、通常切換スイッチ５は再生信号ライン１側に切り換わっているので、そのままの状態で出力端子３に再生デジタル音声信号を供給する。
【００１３】
図２は上記の動作を説明するフローチャートである。ＣＤ等の再生時、まずＳ１で、曲の初めか否かを制御回路６で判別し、イエスならばＳ２で、所定時間（ｎ秒間）の間ｉｎｆｉｎｉｔｙｚｅｒｏの検出を実行する。次いでＳ３で、検出結果がｉｎｆｉｎｉｔｙｚｅｒｏか否かを制御回路６で判別し、イエスならばＳ４で、ミュートオンして再生信号ラインを遮断する。
Ｓ３の答がノーならばＳ５に進み、ミュートオフして、再生信号を出力端子３に供給する。
【００１４】
このように、本発明では、曲を聴く場合の不自然感をなくすために、曲のはじめの数秒間だけｉｎｆｉｎｉｔｙｚｅｒｏであるか否かを検出して、ｉｎｆｉｎｉｔｙｚｅｒｏであれば音声の出力をミュートする。ｉｎｆｉｎｉｔｙｚｅｒｏでなければミュートせず、ミューティング装置を動作させないようにして、再生信号を出力している。
また、制御回路６は、入力端子２からの再生曲信号のＱデータを読み、その内容で曲の終わりであることを判断したとき、ミュート解除するようミューティング装置を動作させる。
【００１５】
【実施例】
以上、本発明の実施の形態について説明したが、本発明はこれに限らず種々の変形が可能である。例えば、入力信号はデジタル音声信号でなくアナログ音声信号を入力し、その信号レベルを検出して、所定のしきい値と比較しても良い。また、切換スイッチ５は、トランジスタや半導体などを使用した回路でも良いし、信号ラインをＧＮＤに接続して信号の出力を禁止しても良い。
また、上述の例では、入力信号の曲の初めをＱデータの内容で判断しているが、これに限らず、曲（信号の区分）の初めを識別する識別子を伴う入力信号であれば、その識別子で曲（信号の区分）の初めを判断することができる。
また、本発明の実施の形態では音声信号について書いたが、映像信号等の他の信号でも同じである。
【００１６】
本発明によって、クラシック音楽や音声のレベルがゼロの近くまで入っている音楽を聴く時に、ノイズが急になくなる（ＧＮＤに落ちる）のを防ぐことができ、不自然感がなくなる。また、不必要な連続したノイズの出力を防ぐこともできる。
【００１７】
【発明の効果】
本発明によれば、信号の区分の初めから所定時間の間信号レベルがゼロに近い場合に、ミュートオンしてノイズ出力を禁止しているので、信号継続中のミュートオンによる不自然感をなくすことができる。
【図面の簡単な説明】
【図１】本発明によるミューティング装置の一実施例を示す回路図である。
【図２】図１の回路の動作を説明するフローチャートである。
【図３】従来のミューティング装置の一例を示す回路図である。
【符号の説明】
１  再生信号ライン
２  入力端子
３  出力端子
４  ｉｎｆｉｎｉｔｙｚｅｒｏ検出回路
５  切換スイッチ
６  制御回路
【図１】
0003605685.tif 000002
【図２】
0003605685.tif 000003
【図３】
0003605685.tif 000004